(57)【要約】【課題】男性用パンツの開口部分から陰茎を表出させた際に窮屈具合をより緩和できるようにすることを課題とする。【解決手段】男性用パンツにおいて、当該男性用パンツの前面部に設けられる陰茎と外部とを仕切るシート体からなり、当該男性用パンツを装着した状態において前記陰茎の根元位置から下に水平方向に形成される下縁と、当該下縁の一端から上方に向かうように形成される側縁を有し、前記側縁は前記前面部に対して着脱可能に固定され、前記下縁は前記前面部に対して固定されないか、もしくは、着脱可能に固定され、前記下縁の前記側縁に隣接しない側の端部及び前記側縁の上端側の端部は前記前面部に固定される開口シート部を設ける。【選択図】  図２
2015089983.tif 000002
【特許請求の範囲】
【請求項１】
男性用パンツの前面部に設けられる陰茎と外部とを仕切るシート体からなり、当該男性用パンツを装着した状態において前記陰茎の根元位置から下に水平方向に形成される下縁と、当該下縁の一端から上方に向かうように形成される側縁とを有し、前記側縁は前記前面部に対して着脱可能に固定され、前記下縁は前記前面部に対して固定されないか、もしくは、着脱可能に固定され、前記下縁の前記側縁に隣接しない側の端部及び前記側縁の上端側の端部は前記前面部に固定される開口シート部を有する男性用パンツ。
【請求項２】
前記開口シート部の前記側縁はスライダーを上方に移動させることで開く線ファスナーにより前記前面部に着脱可能に固定されるものである請求項１に記載の男性用パンツ。
【請求項３】
前記開口シート部の裏面には前記男性用パンツを装着した状態において下方に陰茎が通る穴が形成され両側縁が前記前面部に固定されるシート体からなる仕切り部が形成される請求項１又は２に記載の男性用パンツ。
【請求項４】
前記穴は前記仕切り部を構成するシート体の下縁と前記前面部の一部とにより形成される請求項３に記載の男性用パンツ。
【発明の詳細な説明】
【技術分野】
【０００１】
本発明は、男性用パンツに関し、特に前面開口部に特徴を有するものに関する。
【背景技術】
【０００２】
男性用パンツは放尿に際して陰茎を表出させるための開口が形成されているものが一般的である。多くの場合、当該開口は縦方向に布を互い違いに重ねた形状を有するので、開口の幅が狭く、陰茎を表出させると窮屈になることが多い。
これに対して、下記特許文献には対向する縁部をつき合わせた開口を有し、当該縁部同士をスライドファスナーで開閉自在とした男性用パンツが示されている。このような構造であれば、布の重なりが無いので開口が広くなり窮屈具合を緩和することができる。
【先行技術文献】
【特許文献】
【０００３】
【特許文献１】実用新案登録第３１０７９２３号公報
【発明の概要】
【発明が解決しようとする課題】
【０００４】
しかし、上記特許文献に記載の発明のように開口を縁部同士を付き合わせたものとしても、開口の形状が縦長であり開口は下端に向かってV字状に狭くなっていくので、陰茎を表出させた際、十分に窮屈具合が緩和されているとは言い難い。
本発明はこのような問題に鑑みて、男性用パンツの開口部分から陰茎を表出させた際に窮屈具合をより緩和できるようにすることを課題とする。
【課題を解決するための手段】
【０００５】
上記課題を解決するために、本発明は次のような構成を有する。
請求項１に記載の発明は、男性用パンツの前面部に設けられる陰茎と外部とを仕切るシート体からなり、当該男性用パンツを装着した状態において前記陰茎の根元位置から下に水平方向に形成される下縁と、当該下縁の一端から上方に向かうように形成される側縁を有し、前記側縁は前記前面部に対して着脱可能に固定され、前記下縁は前記前面部に対して固定されないか、もしくは、着脱可能に固定され、前記下縁の前記側縁に隣接しない側の端部及び前記側縁の上端側の端部は前記前面部に固定される開口シート部を有する男性用パンツである。
請求項２に記載の発明は、前記男性用パンツにおいて、前記開口シート部の前記側縁はスライダーを上方に移動させることで開く線ファスナーにより前記前面部に着脱可能に固定されるものである。
請求項３に記載の発明は、前記男性用パンツにおいて、前記開口シート部の裏面には前記男性用パンツを装着した状態において下方に陰茎が通る穴が形成され両側縁が前記前面部に固定されるシート体からなる仕切り部が形成されるものである。
請求項４に記載の発明は、請求項３に記載の男性用パンツにおいて、前記穴は前記仕切り部を構成するシート体の下縁と前記前面部の一部とにより形成されるものである。
【発明の効果】
【０００６】
以上のような構成により本発明は次のような効果を奏する。
請求項１に記載の発明は、陰茎を覆う開口シート部の陰茎の根元より下の下縁とこれに連なる側縁が開くので、陰茎の下方に位置する開口の下端側が一定の幅を有することとなり、下端側が一点に集まる開口に比較して陰茎が外部に表出した際の窮屈具合をより緩和することができる。
請求項２に記載の発明は、線ファスナーを上方に移動させることで開くよう取り付けることで線ファスナーを上方に移動させると下端側が自由に移動できるように開くので、簡易に開口を開くことができる。
請求項３に記載の発明は、仕切り部と開口シート部との間に陰茎を上向きに収納することで、開口シート部の側縁を開いたときに陰茎が倒れることで前方に表出するので、陰茎を表出させることが容易となる。
請求項４に記載の発明は、陰茎を通す穴が横長のスリット状に形成されるので縦長の穴に比較して陰茎を通しやすく、また陰茎を上向きの状態に保持しやすい。
【図面の簡単な説明】
【０００７】
【図１】実施形態に係る男性用パンツの正面図である。
【図２】実施形態に係る男性用パンツの分解斜視図である。
【図３】実施形態に係る男性用パンツの本体部の正面図である。
【図４】実施形態に係る男性用パンツの縦断面図である。
【図５】実施形態に係る男性用パンツの使用状態を示す正面図である。
【図６】第一の変形例に係る男性用パンツの分解斜視図である。
【図７】第二の変形例に係る男性用パンツの分解斜視図である。
【発明を実施するための形態】
【０００８】
以下、本発明の実施の形態について、図面を参照しながら説明する。
図１に本実施形態に係る男性用パンツＸの正面図を示し、図２に男性用パンツＸの分解斜視図を示す。男性用パンツＸは本体部１０、開口シート部２０、線ファスナー３０を有する。
本体部１０は開口部を除いてほぼ一般的なボクサーパンツと同じ素材及び形態を有する。図３に本体部１０の正面図を示す。本体部１０の前面中央には縦長の穴１０ａが形成され、当該穴１０ａの前面側下方を塞ぐように前方に膨らんだ陰嚢収納部１１が縫いつけられている。また、穴１０ａの上方は下縁１２ａが上方に膨らんだアーチ状に形成された長方形状の布からなる仕切り部１２により切り替えられて塞がれている。なお、仕切り部１２の下縁１２ａ及び陰嚢収納部１１の上縁１１ａは玉縁始末が施されている。また、仕切り部１２は本体部１０を構成する布とは異なり伸縮性をほとんど有しない布が用いられる。
【０００９】
開口シート部２０は前記陰嚢収納袋１１と正面視ほぼ同じ幅を有し、陰嚢収納部１１上端から本体部１０の上縁に至る長さを有する正面視長方形状の布により形成される。開口シート２０は下端中心に２ｃｍほどのダーツが形成されることにより前面に膨らむように形成される。開口シート部２０は上端縁及び向かって右側の側縁が本体部１０の前面に縫い付けられ、下端の向かって右半分が陰嚢収納部１１の上縁の向かって右半分に縫い付けられる。なお、開口シート部２０を構成する布は伸縮性をほとんど有しない布が用いられる。
線ファスナー３０は並列に並んだテープの対向する縁部のそれぞれに設けられたエレメント同士がスライダーの移動により係脱する構造を有する一般的な線ファスナーである。線ファスナー３０はスライダーが上方に移動したときに開き、下方に移動したときに閉じるように、テープの一方側を本体部１０の穴１０ａの向かって左側の側縁に仕切り部１２とともに縫い付けられて固定され、テープの他方側は開口シート部２０の向かって左側の側縁に縫い付けられて固定される。
【００１０】
次に、以上のような構成を有する男性用パンツＸの使用方法について説明する。まず、使用者は、男性用パンツＸを装着し、陰茎を本体部１０前面の仕切り部１２の下縁１２ａと陰嚢収納部１１の上縁１１ａとの間から挿入し、陰茎を開口シート部２０の裏面と仕切り部１２の前面との隙間に立った状態に保持させる。図４に装着状態における男性用パンツＸの縦断面図を示す。この状態において、陰茎Ｐは本体部１０前面と開口シート部２０の裏面とに挟まれて固定され、陰嚢Ｓは陰嚢収納部１１内に収まることとなる。なお、開口シート部２０と仕切り部１２は伸縮性を有しない布により形成されるので陰茎がずれにくい。
そして、放尿に際しては、線ファスナー３０のスライダーを上方に上げることにより線ファスナー３０を開く。これにより開口シート部２０の向かって左側の側縁が本体部１０と離れ、当該側縁とこれに連なる下縁の向かって左半分からなるＬ字状の縁部が自在に動くことになる。この状態において、上に向いた陰茎を向かって左側に倒すようにすると、図５に示すように簡単に陰茎Ｐを表出させることができる。また、この状態で陰茎の下側には幅広の隙間が形成されるので陰茎Ｐが締め付けられることなく楽に放尿することができる。放尿が終わった後は、陰茎Ｐを立てて開口シート部２０と本体部１０前面との間に入れ、線ファスナー３０のスライダーを下げて閉じることで、当初の状態に戻すことができる。
このように、本実施形態に係る男性用パンツＸは放尿時に陰茎を表出させやすく、表出させた状態で陰茎が締め付けられず窮屈でないので、楽に放尿をすることができる。
【００１１】
なお、上記実施形態ではボクサートランクスタイプのパンツを例示したが、ブリーフやトランクス等他の形態の男性用パンツに適用することができる。
また、上記実施形態では仕切り部１２を本体部１０とは別の布を縫い付けたが、仕切り部を本体部１０の前面の一部により形成することができる。例えば、図６に示す男性用パンツＹは、本体部１０Ｒの前面に長い穴１０ａを設けることに変えて、陰嚢収納部１１前面側に位置する所のみに穴１０ａａを設けて、穴１０ａａの向かって左側から上方に切り込み１３を設けるようにしたものである。そして、この切れ込み１３に線ファスナー３０を縫いつけるようにしている。このようにすることで、本体部１０の前面の一部が仕切り部とすることができる。
また、上記実施形態では、陰茎を立てた状態で保持できるパンツを例示したが、開口シート部の構造は一般的なパンツに適用することもできる。例えば、図７に分解斜視図を示す男性用パンツＺのように、一枚のシートからなる本体部１０Ｓの前面に正面視Ｌ字状の切れ目１４を入れ、この切れ目の内の縦方向の切れ目に線ファスナー３０をスライダーを下方に下げると閉じるように縫い付けるものが例示される。この場合、パンツ前面のＬ字状の切り欠きに囲まれる部分が開口シート部を構成する。また、上記実施形態において、仕切り部１２を設けないようにしても一般的なパンツとすることが可能である。
【００１２】
そして、上記実施形態では開口シート部２０の下縁は半分は縫い付けられた固定されているが、下縁をどの程度開放させるかは適宜選択することができる。この際、開放される下縁の幅が広いほど陰茎の窮屈度合いは緩和されるが、開放される下縁の幅が広すぎると開口シート部２０の側縁のファスナー３０を閉じていても下縁から陰茎が表出する恐れがあるので、下縁の幅を大きくする場合は、線ファスナーを下縁にまで伸ばしてＬ字状に線ファスナーを固定するようにしてもよい。このように、開口シート部２０の下縁は本体部前面に対して固定されない状態としてもよく、着脱可能としてもよい。
また、上記実施形態では開口シート部２０の側縁の開閉を線ファスナー３０により可能としているが、線ファスナーに変えて、面ファスナーやスナップボタン等他の着脱手段を採用することができる。
それから、開口シート部２０の着脱可能に固定される側縁は上記実施形態では向かって左側にしているが、左右いずれを着脱可能とするかは適宜変更することができる。
【符号の説明】
【００１３】
Ｘ、Ｙ、Ｚ  男性用パンツ
１０、１０Ｒ、１０Ｓ  本体部
１１  陰嚢収納部
１２  仕切り部
２０  開口シート部
３０  線ファスナー
【図１】
2015089983.tif 000003
【図２】
2015089983.tif 000004
【図３】
2015089983.tif 000005
【図４】
2015089983.tif 000006
【図５】
2015089983.tif 000007
【図６】
2015089983.tif 000008
【図７】
2015089983.tif 000009